(57)【要約】【課題】製造に困難を伴ったり装置の複雑化を招いたりすることなく、所定の１区切り単位毎により多くの情報を付与でき、さらには当該情報の容易かつ正確な読み取りを実現することのＰＴＰシート及びその製造装置を提供する。【解決手段】ＰＴＰシート１のうち、密封用フィルム４のポケット部２とは反対側の面に、ペア小片毎に、少なくとも錠剤５に関する情報を包含してなるバーコードからなるコード部８が付される。コード部８は、少なくとも網目状のシール線７にかかるようにして付されている。シール線７の存在により、読取りに際し、シール線７とコード部８とがともに暗く読み取られることも懸念されるところであるが、誤ってコード部を認識しないようシール線７とコード部８の関係を設定することとしている。そのため、正確な読取りを実現することができる。【選択図】      図２
2006206070.tif 000002
【特許請求の範囲】
【請求項１】
包装用フィルムに形成されたポケット部に錠剤が収容され、前記ポケット部を塞ぐようにカバーフィルムがシール状態で取着されてなるＰＴＰシートにおいて、
前記カバーフィルムの前記ポケット部とは反対側の面には、所定の１区切り単位毎に、少なくとも前記錠剤に関する情報を包含してなる１次元コード又は２次元コードからなるコード部を付したことを特徴とするＰＴＰシート。
【請求項２】
前記カバーフィルムは、主たるシール部分が所定の平行四辺形単位で周期的に繰返す網目模様を形成するように取着されており、前記コード部は、少なくとも前記網目模様にかかるようにして付されていることを特徴とする請求項１に記載のＰＴＰシート。
【請求項３】
前記網目模様の一方の辺の幅をａとするとともに、他方の辺の幅をｂとし、かつ、
前記コード部のうち、その読取方向に沿って最も幅狭のコードの幅をｄ１とし、
さらに、前記一方の辺と前記読取方向とのなす角度をαとするとともに、前記他方の辺と前記読取方向とのなす角度をβとしたとき、
下記式（１）を満たすことを特徴とする請求項２に記載のＰＴＰシート。
ｄ１＞ａ／ｓｉｎα＋ｂ／ｓｉｎβ      ・・・（１）
【請求項４】
前記網目模様の一方の辺の幅をａとするとともに、他方の辺の幅をｂとし、かつ、
前記コード部のうち、その読取方向に沿って最も幅狭のコードの幅をｄ１とするとともに、前記幅ｄ１のコードの次に幅狭のコードの幅をｄ１１とし、
さらに、前記一方の辺と前記読取方向とのなす角度をαとするとともに、前記他方の辺と前記読取方向とのなす角度をβとしたとき、
下記式（２）を満たすことを特徴とする請求項２又は３に記載のＰＴＰシート。
ｄ１１＞２ａ／ｓｉｎα＋２ｂ／ｓｉｎβ＋ｄ１      ・・・（２）
【請求項５】
前記所定の平行四辺形単位で周期的に繰返す網目模様のピッチを、前記コード部のうち、その読取方向に沿って最も幅狭のコードの幅よりも小さくしたことを特徴とする請求項２乃至４のいずれかに記載のＰＴＰシート。
【請求項６】
前記カバーフィルムは、主たるシール部分が所定の平行四辺形単位で周期的に繰返す網目模様を形成するように取着されているとともに、前記カバーフィルムのうち、前記各ポケット部に対応する非シール部の形状が略矩形状をなし、
前記コード部が、前記非シール部の一辺に平行となるように、かつ、前記非シール部の領域内に収容されるように付されていることを特徴とする請求項１に記載のＰＴＰシート。
【請求項７】
前記非シール部の領域が、前記ポケット部の外接矩形領域とほぼ一致するように設定されていることを特徴とする請求項６に記載のＰＴＰシート。
【請求項８】
ポケット部に錠剤の収容された包装用フィルムに対し、前記ポケット部を塞ぐように、カバーフィルムをシール状態で取着するためのシール手段を備えてなるＰＴＰシートの製造装置において、
前記シール手段は、前記カバーフィルムの前記ポケット部とは反対側の面に、所定の１区切り単位毎に、少なくとも前記錠剤に関する情報を包含してなる１次元コード又は２次元コードからなるコード部を付した状態で、前記カバーフィルムを取着可能に構成されていることを特徴とするＰＴＰシートの製造装置。
【請求項９】
前記シール手段は、主たるシール部分として所定の平行四辺形単位で周期的に繰返す網目模様が形成されるよう前記カバーフィルムが取着されるように構成されており、前記コード部にも、前記網目模様が形成されるよう構成されていることを特徴とする請求項８に記載のＰＴＰシートの製造装置。
【請求項１０】
前記網目模様の一方の辺の幅をａとするとともに、他方の辺の幅をｂとし、かつ、
前記コード部のうち、その読取方向に沿って最も幅狭のコードの幅をｄ１とし、
さらに、前記一方の辺と前記読取方向とのなす角度をαとするとともに、前記他方の辺と前記読取方向とのなす角度をβとしたとき、
下記式（３）を満たすよう前記シール手段を構成したことを特徴とする請求項９に記載のＰＴＰシートの製造装置。
ｄ１＞ａ／ｓｉｎα＋ｂ／ｓｉｎβ      ・・・（３）
【請求項１１】
前記網目模様の一方の辺の幅をａとするとともに、他方の辺の幅をｂとし、かつ、
前記コード部のうち、その読取方向に沿って最も幅狭のコードの幅をｄ１とするとともに、前記幅ｄ１のコードの次に幅狭のコードの幅をｄ１１とし、
さらに、前記一方の辺と前記読取方向とのなす角度をαとするとともに、前記他方の辺と前記読取方向とのなす角度をβとしたとき、
下記式（４）を満たすよう前記シール手段を構成したことを特徴とする請求項９又は１０に記載のＰＴＰシートの製造装置。
ｄ１１＞２ａ／ｓｉｎα＋２ｂ／ｓｉｎβ＋ｄ１      ・・・（４）
【請求項１２】
前記所定の平行四辺形単位で周期的に繰返す網目模様のピッチが、前記コード部のうち、その読取方向に沿って最も幅狭のコードの幅よりも小さくなるよう前記シール手段を構成したことを特徴とする請求項９乃至１１のいずれかに記載のＰＴＰシートの製造装置。
【請求項１３】
前記シール手段は、主たるシール部分として所定の平行四辺形単位で周期的に繰返す網目模様を形成するように、かつ、前記カバーフィルムのうち、前記各ポケット部に対応する非シール部の形状が略矩形状をなすよう、前記カバーフィルムを取着可能に構成され、
さらに、前記コード部が、前記非シール部の一辺に平行となるように、かつ、前記非シール部の領域内に収容されるように位置調整可能に構成されていることを特徴とする請求項８に記載のＰＴＰシートの製造装置。
【請求項１４】
前記非シール部の領域が、前記ポケット部の外接矩形領域とほぼ一致するように設定されていることを特徴とする請求項１３に記載のＰＴＰシートの製造装置。
【発明の詳細な説明】
【技術分野】
【０００１】
本発明は、包装用フィルムに形成されたポケット部に錠剤が収容され、前記ポケット部を塞ぐようにカバーフィルムがシール状態で取着されてなるＰＴＰシート、及び、その製造装置を含む技術分野に属するものである。
【背景技術】
【０００２】
一般に、ＰＴＰシートは、錠剤等が充填されるポケット部が形成された樹脂製の包装用フィルムと、その包装用フィルムにポケット部の開口側を密封するように前記包装用フィルムに取着されるアルミニウム製のカバーフィルムとから構成されている。
【０００３】
近年、薬局や病院等において、処方され、手渡される錠剤が正しいか否か、或いは如何なる薬剤であるか等を確認するというニーズが高まりつつあり、かかるニーズに応える技術も提案されている（例えば、特許文献１参照）。
【０００４】
かかる文献に記載された技術においては、錠剤の表面に、バーコード或いは２次元コードを付すこととしている。これにより、従来錠剤に数値等が印刷されていたものに比べて、格段に多くの情報を１つの錠剤に付与できるという利点がある。
【０００５】
また、ＰＴＰシートのアルミニウム製カバーフィルム上に、コードを付した紙を貼着する技術もある（例えば非特許文献１参照）。
【特許文献１】特開２００１−６４１６０号公報
【非特許文献１】「バーコードの知識と最新動向」、じほう社、平成１６年２月２５日、ｐ．１０９
【発明の開示】
【発明が解決しようとする課題】
【０００６】
しかしながら、上記特許文献１に記載の技術では、錠剤にバーコード等を付することとしている。このため、確認する際には包装用フィルムのポケット部越しに確認せざるを得ず、コードリーダの性能によっては正確に読み取ることに支障が生じる場合がある。また、錠剤の形状や姿勢によっても、読み取りに影響を及ぼすおそれもある。
【０００７】
その上、錠剤が、立体物であり、かつ人体に入り込むという特性を有しており、かかる特性を考慮した上で印刷等を施す必要がある。そのため、実際にコードを付与する上で種々の制約や、困難性を伴うことも懸念される。
【０００８】
また、非特許文献１に記載の技術では、コードを付した紙を別途用意するか、予めアルミニウム製カバーフィルムに紙を貼着させた複合材を使用する必要がある。また、同技術は、所謂ピールオープン式のブリスター包装では使用できるが、アルミニウムフィルムを押し破って錠剤を取り出すＰＴＰシートに応用するのは困難である。
【０００９】
本発明は、上記事情に鑑みてなされたものであり、製造に困難を伴ったり装置の複雑化を招いたりすることなく、所定の１区切り単位毎により多くの情報を付与でき、さらには当該情報の容易かつ正確な読み取りを実現することの可能なＰＴＰシート及びその製造装置を提供することを主たる目的の一つとしている。
【課題を解決するための手段】
【００１０】
以下、上記目的等を解決するのに適した各手段につき項分けして説明する。なお、必要に応じて対応する手段に特有の作用効果等を付記する。
【００１１】
手段１．包装用フィルムに形成されたポケット部に錠剤が収容され、前記ポケット部を塞ぐようにカバーフィルムがシール状態で取着されてなるＰＴＰシートにおいて、
前記カバーフィルムの前記ポケット部とは反対側の面には、所定の１区切り単位毎に、少なくとも前記錠剤に関する情報を包含してなる１次元コード又は２次元コードからなるコード部を付したことを特徴とするＰＴＰシート。
【００１２】
手段１によれば、ＰＴＰシートのうち、カバーフィルムのポケット部とは反対側の面には、所定の１区切り単位毎に、少なくとも前記錠剤に関する情報を包含してなる１次元コード又は２次元コードからなるコード部が付される。このため、薬局や病院等において、錠剤に関する情報を確認するというニーズに応えることができる。特に、情報がコード化されているため、文字等が印刷される場合に比べ、はるかに有用かつ多量の情報をコード部に含ませることができる。また、錠剤に直接バーコード等が付される技術と比較して、フィルムを介することなく直接読取装置で読取られることとなるため、より簡易な読取装置でもって、より正確な読取りを実現できる。しかも、読取りに際して、錠剤の形状や姿勢に左右されない。その上、カバーフィルムの平坦面に印刷等を施せばコード部を比較的容易に付与できるため、コード部を付与する上で困難性を伴うこともない。
【００１３】
手段２．前記カバーフィルムは、主たるシール部分が所定の平行四辺形単位で周期的に繰返す網目模様を形成するように取着されており、前記コード部は、少なくとも前記網目模様にかかるようにして付されていることを特徴とする手段１に記載のＰＴＰシート。
【００１４】
一般に、カバーフィルムが取着される場合には、主たるシール部分として所定の平行四辺形単位で周期的に繰返す網目模様が形成される。この場合、基本的にはポケット部に対応する部位のみが非シール部分となるが、そこにコード部を付そうとしても、面積的にも小さく、事実上の付与は困難となり、また、読取りにも支障を来すことになる。この点、
手段２によれば、前記コード部が、少なくとも網目模様にかかるようにして付されている。従って、コード部を付与するに際し、面積等をさほど気にせずとも付すことができるという点でメリットは大きい。
【００１５】
手段３．前記網目模様の一方の辺の幅をａとするとともに、他方の辺の幅をｂとし、かつ、
前記コード部のうち、その読取方向に沿って最も幅狭のコードの幅をｄ１とし、
さらに、前記一方の辺と前記読取方向とのなす角度をαとするとともに、前記他方の辺と前記読取方向とのなす角度をβとしたとき、
下記式（１）を満たすことを特徴とする手段２に記載のＰＴＰシート。
【００１６】
ｄ１＞ａ／ｓｉｎα＋ｂ／ｓｉｎβ      ・・・（１）
上記のとおり、コード部が、少なくとも網目模様にかかるようにして付されることで、面積等の制限が緩和されることとなり、メリットは大きい。一方で、網目模様の存在により、網目とコード部とがともに暗く読み取られることで、誤ってコードが認識されてしまうことが懸念されるところである。
【００１７】
例えば、網目模様を構成し、互いに交差する一方の辺と他方の辺とが隙間無く、連続して読み取られることがある。ここで、一方の辺の幅がａで、他方の辺の幅がｂであり、一方の辺と読取方向とのなす角度をαであり、他方の辺と読取方向とのなす角度がβであるとすると、連続して読み取られる距離は、ａ／ｓｉｎα＋ｂ／ｓｉｎβであり、これが読取装置側で、最も幅狭なコードであると誤認識するのを防止する必要がある。この点、手段３では、上記式（１）が満たされるよう、網目模様及びコード部が設定されている。つまり、最も幅狭なコードの幅ｄ１が、前記距離ａ／ｓｉｎα＋ｂ／ｓｉｎβよりも大きくなるように設定されている。従って、もしも上記のように読み取られたとしても、それが最も幅狭なコードでないと認定される。その結果、誤認識をより確実に防止することができる。
【００１８】
手段４．前記網目模様の一方の辺の幅をａとするとともに、他方の辺の幅をｂとし、かつ、
前記コード部のうち、その読取方向に沿って最も幅狭のコードの幅をｄ１とするとともに、前記幅ｄ１のコードの次に幅狭のコードの幅をｄ１１とし、
さらに、前記一方の辺と前記読取方向とのなす角度をαとするとともに、前記他方の辺と前記読取方向とのなす角度をβとしたとき、
下記式（２）を満たすことを特徴とする手段２又は３に記載のＰＴＰシート。
【００１９】
ｄ１１＞２ａ／ｓｉｎα＋２ｂ／ｓｉｎβ＋ｄ１      ・・・（２）
上記のとおり、コード部が、少なくとも網目模様にかかるようにして付されることで、面積等の制限が緩和されることとなり、メリットは大きい。一方で、網目模様の存在により、網目とコード部とがともに暗く読み取られることで、誤ってコードが認識されてしまうことが懸念されるところである。
【００２０】
例えば、網目模様を構成する一方の辺と、他方の辺と、最も幅狭なコードと、隣りあう一方の辺と、隣り合う他方の辺とが隙間無く、連続して読み取られることがある。ここで、一方の辺の幅がａで、他方の辺の幅がｂであり、一方の辺と読取方向とのなす角度をαであり、他方の辺と読取方向とのなす角度がβであるとし、読取方向に沿って最も幅狭のコードの幅をｄ１とするとともに、前記幅ｄ１のコードの次に幅狭のコードの幅をｄ１１とすると、連続して読み取られる距離は、ａ／ｓｉｎα＋ｂ／ｓｉｎβ＋ｄ１＋ａ／ｓｉｎα＋ｂ／ｓｉｎβであり、これが読取装置側で、２番目に幅狭なコードであると誤認識するのを防止する必要がある。この点、手段４では、上記式（２）が満たされるよう、網目模様及びコード部が設定されている。つまり、２番目に幅狭なコードの幅ｄ１１が、前記距離２ａ／ｓｉｎα＋２ｂ／ｓｉｎβ＋ｄ１よりも大きくなるように設定されている。従って、もしも上記のように読み取られたとしても、それが２番目に幅狭なコードでないと認定される。その結果、誤認識をより確実に防止することができる。
【００２１】
手段５．前記所定の平行四辺形単位で周期的に繰返す網目模様のピッチを、前記コード部のうち、その読取方向に沿って最も幅狭のコードの幅よりも小さくしたことを特徴とする手段２乃至４のいずれかに記載のＰＴＰシート。
【００２２】
手段５によれば、所定の平行四辺形単位で周期的に繰返す網目模様のピッチが、コード部のうち、その読取方向に沿って最も幅狭のコードの幅よりも小さく構成されている。尚、ここにいう網目模様のピッチは、所謂シール線のピッチと同義である。このため、読取装置で読取ったときの網目模様（シール線）により生じる信号の周波数成分のほとんどが、コード部により生じる信号の周波数成分よりも高くなる。従って、適正なフィルター処理を施すことにより、網目模様（シール線）により生じる信号の周波数成分を効果的に除去できる。結果として、読取装置でコード部を読取る際に、網目模様が読取りに及ぼす悪影響を効果的に抑制でき、より正確な認識を実現することができる。
【００２３】
手段６．前記カバーフィルムは、主たるシール部分が所定の平行四辺形単位で周期的に繰返す網目模様を形成するように取着されているとともに、前記カバーフィルムのうち、前記各ポケット部に対応する非シール部の形状が略矩形状をなし、
前記コード部が、前記非シール部の一辺に平行となるように、かつ、前記非シール部の領域内に収容されるように付されていることを特徴とする手段１に記載のＰＴＰシート。
【００２４】
手段６によれば、コード部が、非シール部の領域内に収容されるように付されている。つまり、コード部が網目模様に及んでいない。そのため、網目とコード部とがともに暗く読み取られることで、誤ってコードが認識されてしまうことがなく、正確な読取りを実現できる。一方で、一般に円形状、長円形状をなす各ポケット部に対応する非シール部は、コード部を付す上で比較的領域が狭いというのは上述したところである。この点、手段６では、カバーフィルムのうち、前記各ポケット部に対応する非シール部の形状が略矩形状をなしており、しかもコード部は、非シール部の一辺に平行となるように、領域内に付されている。ここで、コード部が一般的に矩形状をなすという点において、前記領域に対するコード部の付与効率を非常に高めることができる。つまり、一般的には狭いとされていたポケット部に対応する部位ではあるが、手段６のように略矩形状の非シール部とすることで、効率よくコード部を付与することができる。従って、コード部を極端に小さくせずとも付与することができ、結果的に、付与に困難を伴うことなく、より正確な読取りを実現することができる。
【００２５】
手段７．前記非シール部の領域が、前記ポケット部の外接矩形領域とほぼ一致するように設定されていることを特徴とする手段６に記載のＰＴＰシート。
【００２６】
手段７によれば、非シール部の領域が、ポケット部の外接矩形領域とほぼ一致するように設定されている。このため、上述した手段６の作用効果を奏しつつ、非シール部の領域があまりに広すぎる場合に生じうるカバーフィルムの破れ、剥離といった不具合を抑制しやすいというメリットがある。
【００２７】
手段８．ポケット部に錠剤の収容された包装用フィルムに対し、前記ポケット部を塞ぐように、カバーフィルムをシール状態で取着するためのシール手段を備えてなるＰＴＰシートの製造装置において、
前記シール手段は、前記カバーフィルムの前記ポケット部とは反対側の面に、所定の１区切り単位毎に、少なくとも前記錠剤に関する情報を包含してなる１次元コード又は２次元コードからなるコード部を付した状態で、前記カバーフィルムを取着可能に構成されていることを特徴とするＰＴＰシートの製造装置。
【００２８】
手段８によれば、得られるＰＴＰシートに関し、上記手段１と同様の作用効果が奏される。
【００２９】
手段９．前記シール手段は、主たるシール部分として所定の平行四辺形単位で周期的に繰返す網目模様が形成されるよう前記カバーフィルムが取着されるように構成されており、前記コード部にも、前記網目模様が形成されるよう構成されていることを特徴とする手段８に記載のＰＴＰシートの製造装置。
【００３０】
手段９によれば、得られるＰＴＰシートに関し、上記手段２と同様の作用効果が奏される。
【００３１】
手段１０．前記網目模様の一方の辺の幅をａとするとともに、他方の辺の幅をｂとし、かつ、
前記コード部のうち、その読取方向に沿って最も幅狭のコードの幅をｄ１とし、
さらに、前記一方の辺と前記読取方向とのなす角度をαとするとともに、前記他方の辺と前記読取方向とのなす角度をβとしたとき、
下記式（３）を満たすよう前記シール手段を構成したことを特徴とする手段９に記載のＰＴＰシートの製造装置。
【００３２】
ｄ１＞ａ／ｓｉｎα＋ｂ／ｓｉｎβ      ・・・（３）
手段１０によれば、得られるＰＴＰシートに関し、上記手段３と同様の作用効果が奏される。
【００３３】
手段１１．前記網目模様の一方の辺の幅をａとするとともに、他方の辺の幅をｂとし、かつ、
前記コード部のうち、その読取方向に沿って最も幅狭のコードの幅をｄ１とするとともに、前記幅ｄ１のコードの次に幅狭のコードの幅をｄ１１とし、
さらに、前記一方の辺と前記読取方向とのなす角度をαとするとともに、前記他方の辺と前記読取方向とのなす角度をβとしたとき、
下記式（４）を満たすよう前記シール手段を構成したことを特徴とする手段９又は１０に記載のＰＴＰシートの製造装置。
【００３４】
ｄ１１＞２ａ／ｓｉｎα＋２ｂ／ｓｉｎβ＋ｄ１      ・・・（４）
手段１１によれば、得られるＰＴＰシートに関し、上記手段４と同様の作用効果が奏される。
【００３５】
手段１２．前記所定の平行四辺形単位で周期的に繰返す網目模様のピッチが、前記コード部のうち、その読取方向に沿って最も幅狭のコードの幅よりも小さくなるよう前記シール手段を構成したことを特徴とする手段９乃至１１のいずれかに記載のＰＴＰシートの製造装置。
【００３６】
手段１２によれば、得られるＰＴＰシートに関し、上記手段５と同様の作用効果が奏される。
【００３７】
手段１３．前記シール手段は、主たるシール部分として所定の平行四辺形単位で周期的に繰返す網目模様を形成するように、かつ、前記カバーフィルムのうち、前記各ポケット部に対応する非シール部の形状が略矩形状をなすよう、前記カバーフィルムを取着可能に構成され、
さらに、前記コード部が、前記非シール部の一辺に平行となるように、かつ、前記非シール部の領域内に収容されるように位置調整可能に構成されていることを特徴とする手段８に記載のＰＴＰシートの製造装置。
【００３８】
手段１３によれば、得られるＰＴＰシートに関し、上記手段６と同様の作用効果が奏される。
【００３９】
手段１４．前記非シール部の領域が、前記ポケット部の外接矩形領域とほぼ一致するように設定されていることを特徴とする手段１３に記載のＰＴＰシートの製造装置。
【００４０】
手段１４によれば、得られるＰＴＰシートに関し、上記手段７と同様の作用効果が奏される。
【発明を実施するための最良の形態】
【００４１】
（第１実施形態）
以下、第１実施形態について、図面を参照しつつ説明する。
【００４２】
図２（ａ），（ｃ）に示すように、本実施形態におけるＰＴＰシート１は、複数のポケット部２を備えた包装用フィルムとしての容器フィルム３と、ポケット部２を塞ぐようにして容器フィルム３に取着されたカバーフィルムとしての密封用フィルム４とを有している。容器フィルム３は、例えば、ＰＰ（ポリプロピレン）やＰＶＣ（ポリ塩化ビニル）等の比較的硬質で所定の剛性を有する熱可塑性樹脂材料によって構成され、光透過性を有している（ここでは、透明を呈している。）。密封用フィルム４は、アルミニウムによって構成されている。
【００４３】
また、各ポケット部２には被充填物としての錠剤５が１つずつ収容されている。ＰＴＰシート１の容器フィルム３には、例えば２つのポケット部２が含まれたペア小片に切り離すことができるように複数の横スリット６が形成されている（もちろん縦スリットが形成されていてもよいし、スリットを省略してもよい）。
【００４４】
さらに、ＰＴＰシート１には、ポケット部２等の非取着部分を除いた取着領域全体において、密封用フィルム４側に微小なへこみによる模様が形成されている。前記へこみは、容器フィルム３と密封用フィルム４とが強固にシールされた部分であり、へこみが所定の格子模様として表れている。該模様は、本実施形態では、図２（ｄ）に示すように、シール線７から構成されており、シール線７により同一形状の複数の平行四辺形部が繰り返し形成されている。なお、本実施形態では、平行四辺形部として、正方形状をなすこととしているが、長方形、菱形であってもよいし、任意の平行四辺形であってもよい。
【００４５】
さて、本実施形態では、前記密封用フィルム４のポケット部２とは反対側の面（すなわち、ＰＴＰシート１の裏面側）には、所定の１区切り単位毎（本実施形態ではペア小片毎）に、少なくとも錠剤５に関する情報を包含してなる１次元コードとしてのバーコードからなるコード部８が付されている。本実施形態におけるコード部８は、少なくともシール線７にかかるようにして付されている。コード部８に含まれる情報としては、錠剤５の固有情報と、錠剤５の製造に伴う変動情報とに大別される。錠剤５の固有情報の例としては、製薬会社名、錠剤（医薬品）名、型式、有効成分等が挙げられる。錠剤５の製造に伴う変動情報の例としては、工場、ライン番号、製造日、ロット番号、有効期限等が挙げられる。本実施形態では、当該コード部８の付され方にも特徴があるのであるが、この点については後述することとし、まずは次に、上記ＰＴＰシート１を製造するための製造装置（ＰＴＰ包装機（ブリスタ包装機）１０の構成について説明することとする。
【００４６】
図１に示すように、ＰＴＰ包装機１０の最上流側では、帯状の容器フィルム３がロール状に巻回されている。ロール状に巻回された容器フィルム３は、間欠的に搬送されるようになっており、容器フィルム３の搬送経路に沿って、加熱手段１２とポケット成形手段１３とが順に並設されている。これら加熱手段１２及びポケット成形手段１３によってポケット部形成装置１４が構成されている。そして、加熱装置１２によって包装用フィルム７が部分的に加熱され、該容器フィルム３が比較的柔軟になった状態において、ポケット成形手段１３によって容器フィルム３にポケット部２が成形される。なお、このポケット部２の成形は、容器フィルム３の搬送動作間のインターバルの際に行われる。
【００４７】
ポケット部２が形成された容器フィルム３の移送経路に沿って、ポケット部２に錠剤５を自動的に充填する充填装置１６、外観検査装置１７、シール手段１８が配設されている。充填装置１６は、所定間隔毎にシャッタを開くことで錠剤５を落下させるものであり、このシャッタ開放動作に伴って各ポケット部２に錠剤５が投入される。
【００４８】
外観検査装置１７は、錠剤５が各ポケット部２に確実に充填されているか否か、また錠剤５の欠け、ひび等の外観異常の有無、異物混入の有無等の検査を行うためのものである。該外観検査装置１７は、ポケット部２の開口側からの検査を行う。
【００４９】
一方、帯状に形成された密封用フィルム４は、最上流側においてロール状に巻回されている。ロール状に巻回された密封用フィルム４の引出し端は、シール手段１８の方へと案内されている。シール手段１８は、フィルム受けロール１９と加熱ロール２０とを備えており、フィルム受けロール１９に加熱ロール２０が圧接可能に構成されている。そして、両ロール１９，２０間に容器フィルム３及び密封用フィルム４が送り込まれるようになっており、容器フィルム３及び密封用フィルム４が、両ロール１９，２０間を加熱圧接状態で通過することで、容器フィルム３に密封用フィルム４が貼着され、これにより、錠剤５が各ポケット部２に充填された帯状のブリスタフィルムとしてのＰＴＰフィルム２１が製造される。このとき、加熱ロール２０の表面には、シール用の網目状の凸条が形成されており、これが強く圧接することで、強固なシールが実現されるようになっている。
【００５０】
上述したように、本実施形態では、密封用フィルム４のポケット部２とは反対側の面に、バーコードからなるコード部８が付されている。本実施形態では、ロール状に巻回された密封用フィルム４として、予めコード部８が所定間隔毎に印刷されているものを用いているが、当該ＰＴＰ包装機１０内に印刷手段を設け、貼着の直前に印刷を施すこととしてもよい。
【００５１】
上記のとおり、ペア小片毎にコード部８が付されるように、本実施形態では位置調整機構２２がシール手段１８の上流側に設けられている。位置調整機構２２は、例えば付されたコード部８を読取検出するための検出手段と、速度調節可能な複数のロール（いずれも図示略）とを備えている。そして、位置調整機構２２においては、検出手段にてコード部８の位置ずれを検出可能とするとともに、位置ずれ量が所定量以上となったときに、そのずれを解消するべく少し密封用フィルム４を伸張するべくロールの速度を変更させることが行われる（例えば特開昭５８−３０９０９号公報に例示するが如くである）。これにより、適正な箇所にコード部８が位置した状態で、密封用フィルム４が貼着されることとなる。
【００５２】
前記シール手段１８の下流には、ポケット部２側から錠剤５等の異常を検出するための外観検査装置２３が設けられている。尚、外観検査装置１７，２３によって不良品判定された場合、図示しない不良シート排出機構に不良品信号が送られ、その不良品判定となったＰＴＰシートは、不良シート排出機構によって別途排出され、図示しない不良品ホッパに移送されるようになっている。
【００５３】
外観検査装置２３の下流ではＰＴＰフィルム２１移送経路に沿って、スリット成形装置２４及びシート打抜装置２６が順に配設されている。スリット成形装置２４は、ＰＴＰフィルム２１の所定位置に前記横スリット６を形成する機能を有する。シート打抜装置２６は、ＰＴＰフィルム２１をＰＴＰシート１単位に打抜く機能を有する。前記シート打抜装置２６の下流側には、シート打抜装置２６から落下する端材２７を貯留するためのスクラップ用ホッパ２８が設けられている。また、シート打抜装置２６の下側には、打抜かれたＰＴＰシート５を移送するためのコンベア２９が設けられており、該ＰＴＰシート５は完成品用ホッパ３０に移送されるようになっている。
【００５４】
さて、ＰＴＰ包装機１０の概略は以上のとおりであるが、以下においては図３〜５に基づき、コード部８及びシール線７の詳細についてより具体的に説明する。コード部として、白色の平坦面に黒色のバーコードが付されているような場合には、市販のコードリーダ（読取装置）で特に問題なく読み取ることができるが、本実施形態のようにコード部８がシール線７にまでかかっている場合、シール線７が読取装置（コードリーダ）に誤信号を与えてしまい、読取りに支障を来してしまうことが懸念される。この点、本実施形態では、そのような支障がないようにシール線７とコード部８との関係において種々の工夫がなされている。
【００５５】
まず、図３において、シール線７のうち、右上がりの一方の辺（線）を第１の辺３１と称し、右下がりの他方の辺（線）を第２の辺３２と称することとする。そして、第１の辺３１の幅を「ａ」とするとともに、第２の辺３２の幅を「ｂ」とする。また、コード部（バーコード）８のうち、その読取方向に沿って最も幅狭のコード８ａの幅を「ｄ１」とし、次に幅狭のコード部８ｂの幅を「ｄ１１」とする。尚、読取方向は図の左右方向、つまり、各コードに直交する方向である。さらに、前記第１の辺３１と前記読取方向とのなす角度を「α」とするとともに、前記第２の辺３２と前記読取方向とのなす角度を「β」とする。
【００５６】
この場合において、例えば図中Ｑ１に沿って読み取った場合、丁度第２の辺３２と最も幅狭なコード８ａと第１の辺３１とが隙間無く、連続して読み取られることとなる。ここで、第１の辺３１及び第２の辺３２は、いずれも非シール部分よりも暗いため、これらがコード部８と同様に暗く読み取られるおそれがあり、この場合、読み取られる暗い部位の距離が「Ｂ＋ｄ１＋Ａ」となるケースが想定される。この場合でも、読取装置では当該コードが最も幅狭なコード８ａであると認識する必要がある。つまり、次に幅狭なコード８ｂであると誤認識するのを防止する必要がある。そのために、本実施形態では、もしも上記のように読み取られたとしても、それが２番目に幅狭なコード８ｂでないと認定するために、２番目に幅狭なコード８ｂの幅「ｄ１１」が、前記距離「Ｂ＋ｄ１＋Ａ」よりも大きくなるように設定されている。
【００５７】
つまり、
ｄ１１＞Ａ＋Ｂ＋ｄ１
となるよう設定されている。ここで、Ａ＝ａ／ｓｉｎαで表され、Ｂ＝ｂ／ｓｉｎβで表されるため、上記式は、次式（ア）で表される。
ｄ１１＞ａ／ｓｉｎα＋ｂ／ｓｉｎβ＋ｄ１・・・（ア）
次に、例えば図中Ｑ２に沿って読み取った場合、第１の辺３１と第２の辺３２とが隙間無く、連続して読み取られることとなる。ここで、上記のとおり第１の辺３１及び第２の辺３２は、いずれも非シール部分よりも暗いため、読み取られる暗い部位の距離が「Ａ＋Ｂ」となるケースが想定される。この場合において、読取装置では暗い部位を最も幅狭なコード８ａであると誤認識するのを防止する必要がある。そのために、本実施形態では、もしも上記のように読み取られたとしても、それが最も幅狭なコード８ａでないと認定するために、最も幅狭なコード８ａの幅「ｄ１」が、前記距離「Ａ＋Ｂ」よりも大きくなるように設定されている。
【００５８】
つまり、
ｄ１＞Ａ＋Ｂ
となるよう設定されている。ここで、Ａ＝ａ／ｓｉｎαで表され、Ｂ＝ｂ／ｓｉｎβで表されるため、上記式は、次式（イ）で表される。
ｄ１＞ａ／ｓｉｎα＋ｂ／ｓｉｎβ  ・・・（イ）
続いて、例えば図４に示すように、図中Ｑ３に沿って読み取った場合、第１の辺３１と最も幅狭なコード８ａと隣りあう第１の辺３１とが隙間無く、連続して読み取られることとなる。ここで、上記のとおり第１の辺３１は、非シール部分よりも暗いため、読み取られる暗い部位の距離が「Ａ＋ｄ１＋Ａ」となるケースが想定される。この場合でも、読取装置では当該コードが最も幅狭なコード８ａであると認識する必要がある。つまり、２番目に幅狭なコード８ｂであると誤認識するのを防止する必要がある。そのために、本実施形態では、もしも上記のように読み取られたとしても、それが２番目に幅狭なコード８ｂでないと認定するために、２番目に幅狭なコード８ｂの幅「ｄ１１」が、前記距離「Ａ＋ｄ１＋Ａ」よりも大きくなるように設定されている。
【００５９】
つまり、
ｄ１１＞２Ａ＋ｄ１
となるよう設定されている。ここで、Ａ＝ａ／ｓｉｎαで表されるため、上記式は、次式（ウ）で表される。
ｄ１１＞２ａ／ｓｉｎα＋ｄ１・・・（ウ）
図示はしないが、同様の考え方から、第２の辺３２と最も幅狭なコード８ａと隣りあう第２の辺３２とが隙間無く、連続して読み取られるケースも想定される。ここで、上記のとおり第２の辺３２も、非シール部分よりも暗いため、読み取られる暗い部位の距離が「Ｂ＋ｄ１＋Ｂ」となるケースが想定される。この場合でも、読取装置では当該コードが最も幅狭なコード８ａであると認識する必要がある。つまり、２番目に幅狭なコード８ｂであると誤認識するのを防止する必要がある。そのために、本実施形態では、もしも上記のように読み取られたとしても、それが２番目に幅狭なコード８ｂでないと認定するために、２番目に幅狭なコード８ｂの幅「ｄ１１」が、前記距離「Ｂ＋ｄ１＋Ｂ」よりも大きくなるように設定されている。
【００６０】
つまり、
ｄ１１＞２Ｂ＋ｄ１
となるよう設定されている。ここで、Ｂ＝ｂ／ｓｉｎβで表されるため、上記式は、次式（エ）で表される。
ｄ１１＞２ｂ／ｓｉｎβ＋ｄ１・・・（エ）
次に、例えば図５に示すように、図中Ｑ４に沿って読み取った場合、第１の辺３１と、第２の辺３２と、最も幅狭なコード８ａと、隣りあう第１の辺３１と、隣り合う第２の辺３２とが隙間無く、連続して読み取られることとなる。ここで、上記のとおり第１、第２の辺３１，３２は、非シール部分よりも暗いため、読み取られる暗い部位の距離が「Ａ＋Ｂ＋ｄ１＋Ａ＋Ｂ」となるケースが想定される。この場合でも、読取装置では当該コードが最も幅狭なコード８ａであると認識する必要がある。つまり、２番目に幅狭なコード８ｂであると誤認識するのを防止する必要がある。そのために、本実施形態では、もしも上記のように読み取られたとしても、それが２番目に幅狭なコード８ｂでないと認定するために、２番目に幅狭なコード８ｂの幅「ｄ１１」が、前記距離「Ａ＋Ｂ＋ｄ１＋Ａ＋Ｂ」よりも大きくなるように設定されている。
【００６１】
つまり、
ｄ１１＞２Ａ＋２Ｂ＋ｄ１
となるよう設定されている。ここで、Ａ＝ａ／ｓｉｎα、Ｂ＝ｂ／ｓｉｎβで表されるため、上記式は、次式（オ）で表される。
ｄ１１＞２ａ／ｓｉｎα＋２ｂ／ｓｉｎβ＋ｄ１・・・（オ）
尚、式（オ）が満たされれば必然的に前記式（ア），（ウ），（エ）も満たされることとなる。
【００６２】
また、前記幅「ｄ１」「ｄ１１」として、できるだけフレキシビリティ（融通性）をもたせようとすると、Ａ＋Ｂ、すなわち、ａ／ｓｉｎα＋ｂ／ｓｉｎβができるだけ小さい値であるほうが望ましい。ここで、ａ／ｓｉｎα＋ｂ／ｓｉｎβが最小になるのは、α＝βのときであるので、前記読み取り方向Ｑがα＝βを満たすよう、シール線７とコード部８の関係を設定するのがより好ましい。
【００６３】
次に、上記のように構成されてなる本実施形態の作用効果について説明する。
【００６４】
上記のとおり、本実施形態では、ＰＴＰシート１のうち、密封用フィルム４のポケット部２とは反対側の面に、ペア小片毎に、少なくとも錠剤５に関する情報を包含してなるバーコードからなるコード部８が付される。このため、薬局や病院等において、錠剤５に関する情報を確認するというニーズに応えることができる。特に、情報がコード化されているため、文字等が印刷される場合に比べ、はるかに有用かつ多量の情報をコード部に含ませることができる。また、錠剤に直接バーコード等が付される技術と比較して、フィルムを介することなく直接読取装置で読取られることとなるため、より簡易な読取装置でもって、より正確な読取りを実現できる。しかも、読取りに際して、錠剤５の形状や姿勢に左右されない。その上、平坦な密封用フィルム４に事前に印刷等を施すことでコード部８を比較的容易に付与できるため、前記コード部８を付与する上で困難性を伴うこともない。
【００６５】
また、基本的にはポケット部２に対応する部位のみが円形状又は長円形状の非シール部分となるが、そこにコード部を付そうとしても、面積的にも小さく、事実上の付与は困難となり、また、読取りにも支障を来すことになる。この点、本実施形態によれば、コード部８が、少なくともシール線７にかかるようにして付されている。従って、コード部８を付与するに際し、面積等をさほど気にせずとも付すことができるという点でメリットは大きい。
【００６６】
また一方で、シール線７の存在により、シール線７とコード部８とがともに暗く読み取られることも懸念されるところであるが、上述のとおり、各式（ア）（イ）（ウ）（エ）（オ）を満たすようにシール線７とコード部８の関係を設定することとしている。その結果、コード８ａ，８ｂを誤って認識してしまうという不具合をより確実に防止することができ、正確な読取りを実現することができる。
【００６７】
（第２実施形態）
以下、第２実施形態について説明する。本第２実施形態においては、上記第１実施形態と同様のＰＴＰ包装機が用いられた上で、ＰＴＰシートが製造される。本実施形態におけるＰＴＰシートにおいても、上記実施形態と同様、密封用フィルムのポケット部とは反対側の面に、錠剤に関する情報を包含してなるバーコードからなるコード部が、少なくともシール線にかかるようにして付されている。また特に、本実施形態における特徴点について言及すると、図６に示すように、密封用フィルム４側の面において、所定の平行四辺形単位で周期的に繰返すシール線７のピッチＰＣ（上述した手段５の「網目模様のピッチ」に相当）が、コード部８のうち、その読取方向に沿って最も幅狭のコード８ａの幅ｄ１よりも小さく設定されている。
【００６８】
ここで、一般に、パルス波形Ｓというのは、フーリエ級数展開により、ｓｉｎ波の合成として表すことができる。すなわち、オフセットを省略して単純化すると、パルス波形Ｓは次式（カ）で表すことができる。
Ｓ＝２／ｐ［sin（ωｔ）＋｛sin(３ωｔ)｝／３＋｛sin(５ωｔ) ｝／５＋…］…（カ  ）
つまり、パルス波形Ｓは、基本波sin（ωｔ）と、その高調波｛sin(３ωｔ)｝／３、｛sin(５ωｔ)／５｝、・・・が重ね合わされたものと同じである。
【００６９】
ここで、シール線７を読み取った信号波形に当てはめると、その周波数成分はシール線７のピッチＰＣに依存するし、コード部８を読み取った信号波形に当てはめると、その周波数成分はコードのピッチに依存する。そして、本実施形態では、シール線７のピッチＰＣが、コード部８のうち、その読取方向に沿って最も幅狭のコード８ａの幅ｄ１よりも小さく構成されているのである。
【００７０】
このため、読取装置で読取ったときのシール線７により生じる信号の周波数成分のほとんどが、コード部８により生じる信号の周波数成分よりも高くなる。従って、適正なフィルター処理を施すことにより、シール線７により生じる信号の周波数成分を効果的に除去することができる。換言すれば、読取りに際し、シール線７による信号（ノイズ）のみをカットし、コード部８の信号のみを積極的に認識することができる。結果として、読取装置でコード部８を読取る際に、シール線７が読取りに及ぼす悪影響を効果的に抑制でき、より正確な認識を実現することができる。
【００７１】
勿論、本実施形態の構成と、上記第１実施形態の構成とを組み合わせた構成を採用しても何ら差し支えない。
【００７２】
（第３実施形態）
以下、第３実施形態について図７を参照しつつ説明する。本第３実施形態においても、上記第１実施形態と同様のＰＴＰ包装機が用いられた上で、ＰＴＰシートが製造される。但し、本実施形態においては、コード部が、少なくともシール線にかからないように付されているという点において、上記第１、第２実施形態と大きく相違する。
【００７３】
すなわち、図７（ａ），（ｂ）に示すように、本実施形態におけるＰＴＰシート４１は、複数のポケット部４２を備えた包装用フィルムとしての容器フィルム４３と、ポケット部４２を塞ぐようにして容器フィルム４３に取着されたカバーフィルムとしての密封用フィルム４４とを有している。また、各ポケット部４２には図示しない錠剤が１つずつ収容されている。
【００７４】
さらに、ＰＴＰシート４１には、ポケット部４２及びその周縁の非取着部分を除いた取着領域全体において、密封用フィルム４４側に微小なへこみによる模様が形成されている。前記へこみは、容器フィルム４３と密封用フィルム４４とが強固にシールされた部分であり、へこみが所定の格子模様、すなわち、シール線４５として表れている。但し、上記第１実施形態では、シール線７はポケット部２以外の全領域に形成されていた（つまり、ポケット部２以外の全領域がシール部であり、ポケット部２に対応する部位のみが非シール部であった）のに対し、本実施形態では、前記密封用フィルム４４のうち、各ポケット部４２に対応する非シール部４６が、ポケット部４２の外接矩形とほぼ一致している。換言すれば、非シール部４６は、ポケット部４２よりも一回り大きい矩形状をなしている。本実施形態では、かかる矩形状の非シール部４６を形成するべく、シール手段のうち、加熱ロールの表面には、シール用の網目状の凸条の存在しない矩形状の領域が存在している。
【００７５】
さらに、図７（ｂ）に示すように、非シール部４６には、各ポケット部４２毎に、少なくとも錠剤に関する情報を包含してなる１次元コードとしてのバーコードからなるコード部４７が付されている。本実施形態において、各コード部４７も、矩形状をなしている。そして、各コード部４７の縦横辺が、前記非シール部４６の縦横辺とそれぞれ平行になるように、かつ、非シール部４６の領域内に各コード部４７が収容されるように付されている。
【００７６】
このような構成を有する本実施形態によれば、コード部４７が、非シール部４６の領域内に収容されるように付されている。つまり、コード部４７がシール線４５に及んでいない。そのため、シール線４５とコード部４７とがともに暗く読み取られることで、誤ってコードを認識してしまうことがなく、正確な読取りを実現できる。
【００７７】
一方で、一般に円形状、長円形状をなす各ポケット部に対応する非シール部は、コード部を付す上で比較的領域が狭い。この点、本実施形態では、密封用フィルム４４のうち、各ポケット部４２に対応する非シール部４６がポケット部４２よりも一回り大きな略矩形状をなしており、しかもコード部４７の縦横辺が、非シール部４６の縦横辺にそれぞれ平行となるように、領域内に付されている。そのため、非シール部４６とした領域に対するコード部４７の付与効率を非常に高めることができる。つまり、一般的には狭いとされていたポケット部４２に対応する部位ではあるが、本実施形態のように略矩形状の非シール部４６とすることで、効率よくコード部を付与することができる。従って、コード部４７を極端に小さくせずとも余裕をもって付与することができ、結果的に、付与に困難を伴うことなく、より正確な読取りを実現することができる。
【００７８】
また、本実施形態では、非シール部４６がポケット部４２の外接矩形領域とほぼ一致するように設定されている。このため、上述した作用効果を奏しつつ、非シール部４６の領域があまりに広すぎる場合に生じうる密封用フィルム４４の破れ、剥離といった不具合を抑制しやすいというメリットがある。
【００７９】
尚、この例では、非シール部４６が、ポケット部４２の外接矩形領域と一致するように設定しているが、それよりも大きい領域としても差し支えない。
【００８０】
以上説明した実施形態において、例えば、次のように構成の一部を適宜変更して実施することも可能である。勿論、以下において例示しない他の変更例も当然可能である。
【００８１】
（ａ）上記各実施形態では、コード部８，４７として一次元コード、つまりバーコードを採用しているが、コード部を二次元コードにより構成してもよい。二次元コードとしては、例えば、ＱＲ（クイックレスポンス）コード等が好適に採用される。また、他の二次元コードとしては、ＤａｔａＭａｔｒｉｘ、ＭａｘｉＣｏｄｅ等、ＱＲコードと同様のマトリックス方式によるものの外、ＰＤＦ４１７等のスタックドバーコード方式によるもの等が挙げられる。
【００８２】
（ｂ）上記第１実施形態では、所定の１区切り単位としてペア小片毎に、また第３実施形態では所定の１区切り単位として各ポケット部４２毎に、コード部８，４７を付すこととしているが、複数個のペア小片毎でもよいし、ＰＴＰシート毎でもよい。
【００８３】
（ｃ）勿論、錠剤という概念には、カプセル錠や丸薬等も含まれる。
【００８４】
（ｄ）上記実施形態ではシール線７，４５によって、平行四辺形部が形成されているが、三角形状の網目模様が形成されている場合にも場合によっては適用可能である。また、上記実施形態では、密封用フィルム４，４４に連続したライン状のシール線７，４５が形成されるようになっているが、必ずしも連続したライン状に限定されるわけではなく、所定の平行四辺形単位で同一の模様が規則正しく繰り返されるようなシールであればよい。例えば、規則正しく配列されたドット状の点シールでもよい。この場合、点シールを結んで形成される平行四辺形単位に対応してシール線を考慮すればよい。
【図面の簡単な説明】
【００８５】
【図１】第１実施形態におけるＰＴＰ包装機の概略構成図である。
【図２】（ａ）はＰＴＰシートの表側を示す斜視図であり、（ｂ）はＰＴＰシートの裏側を示す斜視図であり、（ｃ）はＰＴＰシートを示す部分拡大断面図であり、（ｄ）はＰＴＰシートの一部を密封用フィルム側から見た場合の部分平面図である。
【図３】密封用フィルム側から見たシール線及びコード部の関係を模式的に説明するための部分拡大図である。
【図４】密封用フィルム側から見たシール線及びコード部の関係を模式的に説明するための部分拡大図である。
【図５】密封用フィルム側から見たシール線及びコード部の関係を模式的に説明するための部分拡大図である。
【図６】第２実施形態を説明する図であって、密封用フィルム側から見たシール線及びコード部の関係を模式的に説明するための部分拡大図である。
【図７】第３実施形態を説明する図であって、（ａ）はＰＴＰシートの表側を示す部分平面図であり、（ｂ）はＰＴＰシートの裏側を示す部分背面図である。
【符号の説明】
【００８６】
１，４１…ＰＴＰシート、２，４２…ポケット部、３，４３…包装用フィルムとしての容器フィルム、４，４４…カバーフィルムとしての密封用フィルム、５…錠剤、７，４５…網目模様を構成するシール線、８，４７…コード部、１０…ＰＴＰ包装機、ＰＣ…ピッチ。
【図１】
2006206070.tif 000003
【図２】
2006206070.tif 000004
【図３】
2006206070.tif 000005
【図４】
2006206070.tif 000006
【図５】
2006206070.tif 000007
【図６】
2006206070.tif 000008
【図７】
2006206070.tif 000009